(57)【要約】【課題】本発明は、容易に第一部品を第二部品に対してロック又はロック解除することができるロック構造及びそれを備えた電子装置を提供する。【解決手段】本発明に係るロック構造は、ハウジングと、前記ハウジングに回転可能に枢着されたカバーと、前記カバーを前記ハウジングにロックするロック構造と、を備え、前記ロック構造は、前記カバーに設置されるフック及び前記ハウジングの内部に設置されるロック部材を備え、前記ロック部材は、軸を有する本体及び前記本体の外周面から延伸し、且つ前記フックに対応する複数のロック部を備え、前記本体は、前記軸を中心として回転することができ、前記本体が回転すると、複数の前記ロック部は、前記フックと係合する或いは分離する。これにより、前記カバーを前記ハウジングにロック或いはロックを解除することができる。本発明は、上記のロック構造を備える電子装置をさらに提供する。【選択図】図１
2013002637.tif 000002
【特許請求の範囲】
【請求項１】
第一部品を第二部品にロックするために用いられるロック構造において、
前記第一部品に設置されるフック及び前記第二部品に設置されるロック部材を備え、
前記ロック部材は、軸を有する本体及び前記本体の外周面から放射状に延伸する複数のロック部を備え、前記本体は、前記軸を中心として回転することができ、前記本体が回転すると、複数の前記ロック部は、前記フックと係合或いは分離し、これにより、前記第一部品を前記第二部品に対してロック或いはロックを解除することができることを特徴とするロック構造。
【請求項２】
前記ロック構造は、さらに前記ロック部材の上方に設置される駆動部材を備え、前記駆動部材には駆動面が形成され、前記駆動部材は、前記駆動面と前記本体との係合によって、前記ロック部材に、軸に沿って移動する駆動力及び軸を中心として回転する駆動力を生成することを特徴とする請求項１に記載のロック構造。
【請求項３】
前記ロック構造は、さらに前記本体の上方に設置される制限部材を備え、前記制限部材は、前記ロック部材が軸に沿って前記第二部品から所定の距離移動するまで、前記ロック部材の回転を防止することを特徴とする請求項２に記載のロック構造。
【請求項４】
前記ロック構造は、さらに前記本体を収容し、且つ前記ロック部材を支持する支持部材及び前記本体と前記支持部材との間に設置される弾性部材を備え、前記弾性部材は、前記ロック部材が軸に沿って前記第二部品から所定の距離移動した後、前記ロック部材に弾性復帰力をもたらすことを特徴とする請求項３に記載のロック構造。
【請求項５】
前記制限部材には、複数の第一傾斜面が形成され、前記第一傾斜面は、前記ロック部材が前記弾性部材によって前記軸に沿って前記第二部品に近づく方向に移動する際、前記本体の軸を中心として回転させることを特徴とする請求項４に記載のロック構造。
【請求項６】
各々の前記ロック部には第二傾斜面が形成され、前記フックには第三傾斜面が形成され、前記フックは、前記第二傾斜面と前記第三傾斜面との係合によって、前記ロック部を駆動し、前記本体を軸に沿って下方へ移動させ、且つ軸を中心として回転させることを特徴とする請求項１から５のいずれか一項に記載のロック構造。
【請求項７】
ハウジングと、前記ハウジングに回転可能に枢着されたカバーと、前記カバーを前記ハウジングにロックするロック構造と、を備える電子装置において、
前記ロック構造は、前記カバーに設置されるフック及び前記ハウジングの内部に設置されるロック部材を備え、
前記ロック部材は、軸を有する本体及び前記本体の外周面から延伸し、且つ前記フックに対応する複数のロック部を備え、
前記本体は、前記軸を中心として回転することができ、前記本体が回転すると、複数の前記ロック部は、前記フックと係合或いは分離し、これにより、前記カバーを前記ハウジングに対してロック或いはロックを解除することができることを特徴とする電子装置。
【発明の詳細な説明】
【技術分野】
【０００１】
本発明は、電子デバイスに関し、特にロック構造を備える電子装置に関するものである。
【背景技術】
【０００２】
従来のロック構造は、２つの部品を係合するために用いられ、一般的に、第一部品の一つの辺縁に突出設置された弾性フック及び第二部品に形成されたスロットを備える。前記第一部品及び前記第二部品を係合する際、前記弾性フックを前記スロットに挿入し、前記弾性フックを、前記スロットの側壁の押圧によって変形させた後、前記スロットの中に入れると、前記弾性フックは、弾性復帰によって元の形状に復帰し、前記スロットの側壁の底面に当接する。これにより、前記第一部品を前記第二部品にロックすることができる。しかし、前記第二部品と前記第一部品とのロックを解除する際、ユーザーは、強い力によって、前記第一部品の弾性フックを湾曲させて、前記弾性フックを前記スロットから分離する必要がある。そのため、操作に不便であり、且つ第一部品を損傷させやすくなる。
【発明の概要】
【発明が解決しようとする課題】
【０００３】
前記課題を解決するために、本発明は、容易に第一部品を第二部品にロック又は解除することができるロック構造及びそれを備えた電子装置を提供する。
【課題を解決するための手段】
【０００４】
本発明に係るロック構造は、第一部品を第二部品にロックするために用いられ、前記第一部品に設置されるフック及び前記第二部品に設置されるロック部材を備え、前記ロック部材は、軸を有する本体及び前記本体の外周面から放射状に延伸する複数のロック部を備え、前記本体は、前記軸を中心として回転し、前記本体が回転する際、複数の前記ロック部は、前記本体と共に回転することで、前記フックと係合したり、前記フックから外れるようにしたりして、前記第一部品を第二部品に対してロックする或いは前記第二部品から前記第一部品のロックを解除する。
【０００５】
本発明に係る電子装置は、ハウジングと、前記ハウジングに回転可能に枢着されたカバーと、前記カバーを前記ハウジングにロックするロック構造と、を備え、前記ロック構造は、前記カバーに設置されるフック及び前記ハウジングの内部に設置されるロック部材を備え、前記ロック部材は、軸を有する本体及び前記本体の外周面から延伸し、且つ前記フックに対応する複数のロック部を備え、前記本体は、前記軸を中心として回転することができ、前記本体が回転すると、複数の前記ロック部は、前記フックと係合する或いは分離する。これにより、前記カバーを前記ハウジングに対してロックする或いはロックを解除することができる。
【発明の効果】
【０００６】
従来の技術と比べて、本発明に係るロック構造は、フック及びロック部材を備え、前記ロック部材の本体は回転することができ、前記本体が回転すると、前記ロック部材のロック部は、前記フックと係合する或いは分離する。従って、容易に前記第一部品を第二部品に対してロックする或いは解除することができる。
【図面の簡単な説明】
【０００７】
【図１】本発明の実施形態に係るロック構造の斜視図である。
【図２】図１に示したロック構造の分解図である。
【図３】図２に示したロック構造を反転させた際の分解図である。
【図４】図１に示したロック構造の制限部材の構造を示す図である。
【図５】図１に示したロック構造のロック部材がロック位置に位置する際、駆動部材と制限部材及びロック部材とが互いに噛み合う状態を示す図である。
【図６】図１に示したロック構造のロック部材が臨界位置に位置する際、駆動部材と制限部材及びロック部材とが互いに噛み合う状態を示す図である。
【図７】図１に示したロック構造のロック部材が過渡位置に位置する際、駆動部材と制限部材及びロック部材とが互いに噛み合う状態を示す図である。
【発明を実施するための形態】
【０００８】
以下、図面を参照して、本発明の実施形態について説明する。
【０００９】
図１を参照すると、本発明の実施形態に係る電子装置１は、ハウジング１０及び前記ハウジング１０に回転可能に枢着されたカバー２０を備える。本実施形態において、前記電子装置１は、携帯型のＤＶＤプレイヤーであり、前記ハウジング内には、ＤＶＤプレイヤーを作動させるためのコンポーネント（図示せず）が取り付けられている。前記カバー２０は、ディスクを覆う蓋である。他の実施形態において、前記電子装置は、ノートパソコンなど、カバーを有する他の装置であっても良い。
【００１０】
図２を併せて参照すると、前記ハウジング１０は、第一表面１００及び前記第一表面１００に対向する第二表面１１０を備える。前記ハウジング１０には、前記第一表面１００及び前記第二表面１１０を貫通する第一貫通孔１２０及び第二貫通孔１３０が設けられている。また、前記第二表面１１０には、２つの固定部１４０が突設され、前記第一表面１００には、第一ヒンジ１５０が突設されている。
【００１１】
前記カバー２０は矩形の板状を呈し、前記ハウジング１０の前記第一表面１００に覆設され、互いに対向する第一端部２１及び第二端部２２を備える。前記カバー２０の前記第一端部２１に近い底面には、前記ハウジング１０に向かって延伸する押圧部２３及びフック２５が形成されている。前記押圧部２３及び前記フック２５は、前記ハウジング１０の第一貫通孔１２０及び第二貫通孔１３０にそれぞれ対応する。前記押圧部２３は円柱状を呈し、その直径は前記第一貫通孔１２０の口径よりわずかに小さいので、前記第一貫通孔１２０に挿入することができる。前記フック２５の前記カバー２０から離れる端部にはフック部２５０が形成され、前記フック部２５０の前記ハウジング１０に向かう側には、第一傾斜面２５２が形成されている。前記カバー２０の前記第二端部２２には、前記ハウジング１０の前記第一ヒンジ１５０に回転可能に枢着される第二ヒンジ２７が形成されている。
【００１２】
前記ハウジング１０は、ロック構造３０をさらに備える。前記ロック構造３０は、駆動部材３１と、制限部材３３と、ロック部材３５と、支持部材３７と、弾性部材３９及び前記フック２５と、を備える。
【００１３】
前記駆動部材３１は、中空の略円筒状であり、前記第一貫通孔１２０に対応する円形の頂壁３１３及び前記頂壁３１３の周縁から前記ハウジング１０の第一表面１００から離れる方向に延伸する側壁３１４を備える。前記側壁３１４の前記頂壁３１３から離れる端面には、複数の駆動面３１５が形成されている。駆動面３１５は、周方向に延在する斜面であり、周方向の一方向に向かうにしたがって漸次上方に向かうように傾斜する駆動面３１５と一方向に向かうにしたがって漸次下方に向かうように傾斜する駆動面３１５とが交互に等間隔に設置される。つまり、前記側壁３１４の端面は複数の三角形の突歯型構造を呈する。前記駆動部材３１の前記側壁３１４の外周面には、前記駆動部材３１の軸方向に沿って延在し、且つリブを呈する２つの突起３１６が互いに離間して設けられ、前記駆動部材３１の回転を制限するために用いられる。
【００１４】
図３及び図４を参照すると、前記制限部材３３は、前記ハウジング１０の前記第二表面１１０に設置され、且つ前記第一貫通孔１２０と連通する第一制限部３３０及び前記第一制限部３３０を囲んで設置された第二制限部３３１を備える。前記第一制限部３３０及び前記第二制限部３３１は円筒状を呈し、且つ同軸上に位置する。前記第一制限部３３０は、前記駆動部材３１を収容し、その前記第二表面１１０から離れる端部には、複数の第一当接面３３３及び複数の前記第一当接面３３３と連接する複数の第二傾斜面３３４が形成されている。各々の前記第一当接面３３３は、隣接する２つの前記第二傾斜面３３４の間に位置し、且つ概ね前記ハウジング１０の前記第二表面１１０に垂直である。つまり、前記第一制限部３３０の前記端部は複数の楔形歯構造を呈する。前記第一制限部３３０の内側面には、前記駆動部材３１の２つの前記突起３１６に対応する内外へ窪んだ、２つの凹部３３５がそれぞれ形成されている。
【００１５】
前記ロック部材３５は、前記駆動部材３１の下方に設置され、柱状の本体３５０及び前記本体３５０の外周面から放射状に突出する４つのロック部３５１を備える。前記本体３５０は、それ自体が軸Ａ（図６を参照する）に沿って上下に移動し、且つ前記軸Ａを中心として回転する。
【００１６】
前記本体３５０は、第一部分３５２と、第三部分３５４と、前記第一部分３５２及び前記第三部分３５４の間に設置された第二部分３５３と、を備え、前記第一部分３５２、前記第二部分３５３及び前記第三部分３５４は、前記本体３５０の軸上に前記駆動部材３１から離れるにしたがって、これらの順で設置される。前記第一部分３５２は、前記制限部材３３の前記第二制限部３３１内に収容され、前記第一部分３５２の端面には、等間隔に設置された４つの楔形歯３５６が形成されている。各々の前記楔形歯３５６の前記第二部分３５３から離れる側には、前記制限部材３３の前記第二傾斜面３３４及び前記駆動部材３１の前記駆動面３１５と係合する第三傾斜面３５７が形成されている。各々の前記楔形歯３５６が前記制限部材３３の前記第二傾斜面３３４及び前記駆動部材３１の前記駆動面３１５と同時に係合するために、各々の前記楔形歯３５６の前記第一部分３５２の径方向に沿った長さは、前記駆動部材３１の前記側壁３１４の厚さと前記制限部材３３の前記第一制限部３３０の円筒状の側壁の厚さとの和にほぼ等しい。各々の前記楔形歯３５６は、前記第三傾斜面３５７に連接し、且つ前記第一部分３５２の端面に垂直な第二当接面３５８を備える。
【００１７】
前記第二部分３５３の直径は前記第一部分３５２の直径より大きい。前記第三部分３５４は円筒状を呈し、前記支持部材３７内に収容される。前記第三部分３５４の前記第二部分３５３から離れる端部は、内側が窪んでおり、さらに前記第三部分３５４の前記第二部分３５３から離れる端部には、その中央部で突出する連接部３５５が形成され、該連接部３５５は、前記弾性部材３９に挿入される。
【００１８】
４つの前記ロック部３５１は、前記本体３５０の前記第二部分３５３の外周面に放射状に突出している。各々の前記ロック部３５１の横断面は、概ね直角を有する台形を呈し、各々の前記ロック部３５１の前記第一部分３５２の前記楔形歯３５６に近い側には、第四傾斜面３５９が形成されている。
【００１９】
前記支持部材３７は、前記ロック部材３５を支持するように前記ハウジング１０の前記固定部１４０に固定される。前記支持部材３７は、円筒状の収容槽３７１及び該収容槽３７１に形成される２つの支持部３７２を備える。前記本体３５０の前記第三部分３５４を前記収容槽３７１に収容した後、前記本体３５０の軸Ａに沿って上下に移動することができるように、前記収容槽３７１の直径は、前記本体３５０の前記第三部分３５４の直径よりやや大きい。２つの前記支持部３７２は、前記収容槽３７１の相対する両側からそれぞれ外へ延伸し、且つ前記ハウジング１０の前記２つの固定部１４０に固定するための孔３７３がそれぞれ設けられている。前記弾性部材３９の一端は、前記本体３５０の前記第三部分３５４の前記連接部３５５に連接され、他端は、前記支持部材３７の前記収容槽３７１に収容される。
【００２０】
前記電子装置１を組み立てる際、先ず、前記カバー２０を前記ハウジング１０の前記第一表面１００に回転可能に枢着させる。次いで、前記駆動部材３１を前記制限部材３３の第一制限部３３０に、また、前記駆動部材３１の２つの前記突起３１６を前記制限部材３３の２つの凹部３３５に収容させる。これにより、前記駆動部材３１の前記頂壁３１３は、前記ハウジング１０の前記第一貫通孔１２０によって、前記ハウジング１０の前記第一表面１００に露出する。次いで、前記本体３５０の前記第一部分３５２を前記制限部材３３の前記第二制限部３３１内に設置する。これにより、各々の前記楔形歯３５６の前記第三傾斜面３５７は、前記第一制限部３３０の前記第二傾斜面３３４及び前記駆動部材３１の前記駆動面３１５と同時に接触し、各々の前記楔形歯３５６の前記第二当接面３５８は、前記第一制限部３３０の前記第一当接面３３３と当接する（図５を参照する）。最後に、前記弾性部材３９の一端を前記本体３５０の前記連接部３５５に連接させ、前記弾性部材３９の他端を前記支持部材３７の前記収容槽３７１に設置した後、前記支持部材３７の２つの前記支持部３７２に設けられた２つの前記孔３７３の中に、前記ハウジング１０の２つの前記固定部１４０を挿入して、前記支持部材３７を２つの前記固定部１４０に固定する。
【００２１】
以下、本発明の電子装置１の作動原理を詳細に説明する。
【００２２】
前記ロック部材３５をロック位置に設置し、前記フック２５を前記ロック部３５１の前記本体３５０の前記第一部分３５２から離れる底面に掛ける。これにより、前記カバー２０は、前記ハウジング１０にロックされる。前記カバー２０の前記第一端部２１を押圧すると、前記押圧部２３は、下方へ移動して、前記駆動部材３１の前記頂壁３１３を押圧し、前記駆動部材３１は、前記押圧部２３が押圧されることによって、前記駆動部材３１の軸に沿って下方へ移動する。これにより、前記駆動部材３１の前記駆動面３１５は、前記楔形歯３５６の前記第三傾斜面３５７を下方へ押圧する。この時、前記第三傾斜面３５７は傾斜しているため、前記駆動部材３１は、前記本体３５０を前記本体３５０の軸Ａに沿って、下方に移動させる第一力及び前記本体３５０を反時計回りＬに回転させる第二力を生成する。しかし、前記楔形歯３５６の前記第二当接面３５８は、前記制限部材３３の前記第一当接面３３３に当接されるため、前記本体３５０は、軸Ａを中心として回転することはできず、軸Ａに沿って下方にのみ移動が可能である。前記本体３５０が軸Ａに沿って下方に所定の距離（図６に示すように、前記楔形歯３５６が前記制限部材３３の前記第一当接面３３３を越える臨界位置まで）移動すると、前記本体３５０は、前記駆動部材３１の前記駆動面３１５及び前記楔形歯３５６の前記第三傾斜面３５７の相互作用によって、軸Ａを中心として反時計回りＬに沿って過渡位置（図７に示すように、前記第三傾斜面３５７が前記第一制限部３３０の隣接する２つの前記第二傾斜面３３４の間に位置する）まで回転する。
【００２３】
ユーザーが前記カバー２０を放す（下方への押圧を解除する）と、前記本体３５０は、前記弾性部材３９の弾性復帰によって軸Ａに沿って上方へ移動して、前記ハウジング１０の前記第二表面１１０に近づく。前記本体３５０が上方へ移動する際、前記楔形歯３５６の前記第三傾斜面３５７は、前記楔形歯３５６の前記第三傾斜面３５７及び前記第一制限部３３０の前記第二傾斜面３３４がともに傾斜していることにより前記第一制限部３３０の前記第二傾斜面３３４に沿って移動する。従って、前記本体３５０は、軸Ａに沿って上方へ移動しながら反時計回りに回転し、前記本体３５０の４つの前記ロック部３５１は、軸Ａを中心として反時計回りに回転する。前記本体３５０の前記楔形歯３５６の前記第二当接面３５８が、前記第一制限部３３０の次の前記第一当接面３３３に当接されると、前記弾性部材３９は、元の状態に弾性復帰する。この時、前記ロック部材３５は回転を停止し、且つ前記フック２５と分離する位置に位置する（即ち、前記フック２５が隣接する２つの前記ロック部３５１の間に位置する）。以上により、前記カバー２０を前記ハウジング１０のロックから解除することができる。
【００２４】
また、前記ロック部材３５がロック位置に位置する場合でも、前記カバー２０を、前記ハウジング１０にロックすることができる。前記カバー２０が前記ハウジング１０に対して回転する過程において、前記フック２５は、前記カバー２０と共に前記ハウジング１０に近づき、且つ前記ハウジング１０内の前記ロック部３５１に当接するように前記第二貫通孔１３０を貫通する。この時、前記ロック部３５１の前記第四傾斜面３５９は、前記フック２５の前記フック部２５０の前記第一傾斜面２５２に押圧される。これにより、前記本体３５０は、下方へ移動しながら時計回りに回転する。前記楔形歯３５６の前記第三傾斜面３５７は、前記本体３５０の回転によって前記第二傾斜面３３４及び前記駆動面３１５に対して時計回りにスライドする。前記カバー２０が前記ハウジング１０を完全に覆う際、前記フック部２５０は、前記ロック部３５１よりやや低い位置に移動し、次いで、前記本体３５０は、前記弾性部材３９の弾性復帰及び前記第一制限部３３０の前記第二傾斜面３３４と前記楔形歯３５６の前記第三傾斜面３５７との協働によって元の位置に戻る。前記本体３５０が回転して元の位置に戻ると、前記ロック部３５１も元の位置に戻る。従って、ロック部３５１は、前記フック部２５０の上方に当接される。また、前記楔形歯３５６も元の位置に戻り、前記楔形歯３５６の前記第二当接面３５８は、前記第一制限部３３０の前記第一当接面３３３上に当接される。以上により、前記カバー２０は、前記ハウジング１０にロックされる。
【００２５】
前記本体３５０が上下に移動する過程において、前記駆動部材３１は、前記突起３１６と前記第一制限部３３０の前記凹部３３５とが係合するため回転しない。
【００２６】
本発明のロック構造３０の前記駆動部材３１の前記駆動面３１５、前記第一制限部３３０の前記第二傾斜面３３４、前記楔形歯３５６及び前記ロック部３５１の数量は、本実施形態における数量に限定されるものではなく、他の実施形態において、前記ロック構造３０の機能に応じて変更することもできる。
【００２７】
本発明のロック構造３０は、前記フック２５及び前記ロック部材３５を備え、前記カバー２０は、前記フック２５と前記ロック部材３５の前記ロック部３５１との間の係合によって、前記ハウジング１０にロックすることができる。また、前記カバー２０は、その第一端部２１を押圧するだけで、容易に前記ハウジング１０からロックを解除することができる。
【符号の説明】
【００２８】
１  電子装置
１０  ハウジング
１００  第一表面
１１０  第二表面
１２０  第一貫通孔
１３０  第二貫通孔
１４０  固定部
１５０  第一ヒンジ
２０  カバー
２１  第一端部
２２  第二端部
２３  押圧部
２５  フック
２７  第二ヒンジ
２５０  フック部
２５２  第一傾斜面
３０  ロック構造
３１  駆動部材
３１３  頂壁
３１４  側壁
３１５  駆動面
３１６  突起
３３  制限部材
３３０  第一制限部
３３１  第二制限部
３３３  第一当接面
３３４  第二傾斜面
３３５  凹部
３５  ロック部材
３５０  本体
３５１  ロック部
３５２  第一部分
３５３  第二部分
３５４  第三部分
３５５  連接部
３５６  楔形歯
３５７  第三傾斜面
３５８  第二当接面
３５９  第四傾斜面
３７  支持部材
３７１  収容槽
３７２  支持部
３７３  孔
３９  弾性部材
【図１】
2013002637.tif 000003
【図２】
2013002637.tif 000004
【図３】
2013002637.tif 000005
【図４】
2013002637.tif 000006
【図５】
2013002637.tif 000007
【図６】
2013002637.tif 000008
【図７】
2013002637.tif 000009